(57)【要約】【課題】  構造上の不都合を一挙に改善でき、簡単且つ容易に実施できる新規のレールホルダーを提供することを目的とする。【解決手段】  背表紙部の両側にオモテ・ウラ表紙部を有する表紙体と、表紙体内に紙葉を綴じ止める背綴じレールと、ウラ表紙部の縁から延長された逆止片部を有し、前記背表紙部は、オモテ表紙部として機能する合成樹脂シートとウラ表紙部として機能する合成樹脂シートの基端側辺縁部を重ね合わせて溶着することにより形成され、前記逆止片部は前記重ね合わせにおいて外側にされた合成樹脂シートの縁から延設され、また前記背綴じレールは、互いに向き合う第１・第２挟持片部を有し、前記第１・第２挟持片部は、前記オモテ表紙部およびウラ表紙部における背表紙部に近い個所を押圧して挟持する押圧縁を有し、前記押圧縁は、その内側辺に沿って、前記逆止片部の先端縁が係止する係合縁を有していることを特徴とする。【選択図】        図１
2005153433.tif 000002
【特許請求の範囲】
【請求項１】
背表紙部の両側にオモテ表紙部及びウラ表紙部を有する表紙体と、当該表紙体内に紙葉を綴じ止めるための背綴じレールにより構成されたレールホルダーに関し、前記オモテ表紙部の縁から若くは前記ウラ表紙部の縁から延長された逆止片部を有することを特徴とするレールホルダー。
【請求項２】
前記背表紙部は、オモテ表紙部として機能する合成樹脂シートとウラ表紙部として機能する合成樹脂シートの基端側辺縁部を重ね合わせた状態で溶着することにより形成され、前記逆止片部は、前記重ね合わせにおいて外側にされた合成樹脂シートの縁から延設されたことを特徴とする請求項１記載のレールホルダー。
【請求項３】
前記合成樹脂シートが、熱可塑性合成樹脂製であることを特徴とする請求項３記載のレールホルダー。
【請求項４】
前記逆止片部は、前記合成樹脂シートが享有する弾性により、外力を受けていないときには斜立状態に戻る力を備えていることを特徴とする請求項２〜３から選択された請求項記載のレールホルダー。
【請求項５】
前記背綴じレールは、互いに向き合う第１・第２挟持片部を有し、前記第１・第２挟持片部は、前記オモテ表紙部およびウラ表紙部における背表紙部に近い個所を両方から押圧して挟持する押圧縁を有し、前記押圧縁は、その内側辺に沿って、前記逆止片部の先端縁が係止する係合縁を有していることを特徴とする請求項１〜４から選択された一つの請求項記載のレールホルダー。
【請求項６】
前記逆止片部の先端縁に折り曲げ自在部を介して補量片を備えていることを特徴とする請求項１〜５から選択された一つの請求項記載のレールホルダー。
【発明の詳細な説明】
【技術分野】
【０００１】
本発明は、二つ折り表紙と背綴じレールを用いて紙葉を綴じるレールホルダーに関する。
【背景技術】
【０００２】
従前、この種のレールホルダーとして、たとえば図１０及び図１１に示すように、Ｖの字形状の折曲部４１を介して二つ折りにされた表紙４２と当該表紙４２内に挟入された多数枚の紙葉４３とを背綴じレール４４の挟持力により綴じる構造のレールホルダー４０は知られている(以下、第１従来例という。)。
【０００３】
前記第１従来例に係るレールホルダー４０は、前記のような構成であったために、背綴じレール４４の挟み口４７が紙葉４３の綴じ込み量の逓増により広がり過ぎの状態になってしまったときには、当該挟み口４７の挟み機能が充分に発揮されなくなり、二つ折り表紙４２及び紙葉４３の抜け外れを起し易くなるという第１問題、或いは紙葉４３の綴じ込み量がすでに多いことを承知で無理に挟み綴じを行ったときには、当該挟み口４７の挟み機能が充分に発揮されない状態になって二つ折り表紙４２及び紙葉４３の抜け外れを起し易くなるという第２問題、また背綴じレール４４に対して表紙の自由端とは反対の方向に移動させる外力が加わったときには、当該背綴じレール４４が不本意にも外れてしまうという第３問題等を有していた。
【０００４】
前記表紙４２、紙葉４３の抜け外れ問題及び背綴じレール４４の外れ問題は、Ｖの字形状折曲部４１が挟み綴じられた紙葉の多さによって広げられ、このために当該Ｖの字形状折曲部４１の両側面部４５、４６が、背綴じレール４４の挟み口４７に近づくに従って広くなるテーパー状態になってしまうこと、背綴じレール４４の挟み口４７を形成している両側の挟み片部４８、４９が、平行状態に近くなって挟み口４７の挟み機能を充分に果たさない状態になってしまうこと等が原因になっている。
【０００５】
そこで、前記原因を解消する手段として、図１２及び図１３に示すように、前記二つ折り表紙４２のＶの字形状の折曲部４１をコの字形状の折曲部５１になすことで背面部５２を形成し、これにより前記テーパー状態にならない、寧ろ逆向きのテーパー状態になるように工夫した構成のレールホルダー（以下、第２従来例という）５０が提供されている。
【０００６】
しかしながら、前記第２従来例によっても依然として、背綴じレール４４が抜け外れを起すという第３問題は、充分には解決されていない。
【０００７】
前記第２従来例が起す第３問題の未解決状態は、綴じられている紙葉の厚さが前記背面部５２の幅よりも厚い状態の場合に生じ易い。すなわち、背綴じレール４４の両側挟み片部４８、４９が挟み綴じられた紙葉の多さによって広げられ、当該背綴じレール４４の両側挟み片部４８、４９が挟み口４７に近づくに従って広くなるテーパー状態になった場合に生じる。
【発明の開示】
【発明が解決しようとする課題】
【０００８】
本発明は、前記第２従来例の構成を基本的に採用しつつ、前記構造上の不都合を一挙に簡単に改善することができ、しかも簡単且つ容易に実施できる新規のレールホルダーを提供することを目的とする。
【課題を解決するための手段】
【０００９】
上記目的を達成するために、請求項１に係るレールホルダーにあっては、背表紙部の両側にオモテ表紙部及びウラ表紙部を有する表紙体と、当該表紙体内に紙葉を綴じ止めるための背綴じレールにより構成されたレールホルダーに関し、前記オモテ表紙部の縁から若くは前記ウラ表紙部の縁から延長された逆止片部を有する。
【００１０】
従って、図５に示すように、前記オモテ表紙部とウラ表紙部間に多数枚の紙葉を挟んで当該紙葉を前記表紙体内に収容した状態にした後に、前記表紙体における背表紙部の長手方向下端を前記背綴じレールの長手方向上端の上方側になるように位置させてから、前記表紙体を下方にスライドさせる操作を行うことにより、背綴じレール内に前記背表紙部を挿入して製本を完了することができる。この挿入操作のときには、前記逆止片部は、前記背表紙部と一緒に移動して背綴じレール内に入れられ、また、前記オモテ表紙部とウラ表紙部間に挟まれた多数枚の紙葉は、前記背綴じレールによって前記オモテ表紙部及びウラ表紙部と一緒に挟み止められる。
【００１１】
その結果、前記挟み止め状態の背綴じレールに対して、表紙体の自由端とは反対の方向の外力が加えられて当該背綴じレールが抜け外れようとしても、逆止片部が邪魔してこれを完全に阻止し（図３及び図４参照）、よって前記背綴じレールの抜け外れを惹起するという前記第３問題を解決する。因みに、前記背表紙部は、前記第１問題及び前記第２問題を解決する機能を果していることは言うまでもない。
【００１２】
請求項２に係るレールホルダーにあっては、前記背表紙部は、オモテ表紙部として機能する合成樹脂シートとウラ表紙部として機能する合成樹脂シートの基端側辺縁部を重ね合わせた状態で溶着することにより形成され、前記逆止片部は前記重ね合わせにおいて外側に位置付けされた合成樹脂シートの縁から延設されていることを特徴とする。
【００１３】
従って、逆止片部の構成分を基端側辺縁部に連続して有する合成樹脂シートと逆止片部の構成分を基端側辺縁部に有しない合成樹脂シートとを用意し、これら合成樹脂シートの基端側辺縁部を重ね合わせた状態で溶着することによって、簡単に、逆止片部を有する表紙体を得ることができる。また、オモテ表紙部とウラ表紙部とが異なる色にされた完成品若しくは異なる素材にされた完成品、オモテ・ウラ表紙部の一方が透明合成樹脂シート製にされた完成品を得ることが可能になる。
【００１４】
請求項３に係るレールホルダーにあっては、前記合成樹脂シートが、熱可塑性合成樹脂製であることを特徴とする。
【００１５】
従って、逆止片部を有する表紙体を得る場合には、作業性のよい高周波溶着法、低周波溶着法、超音波溶着法等溶着法を採用することができ、量産、低コスト化等に適する。
【００１６】
請求項４に係るレールホルダーにあっては、前記逆止片部は、前記合成樹脂シートが享有する弾性によって、外力を受けていないときには斜立状態に戻る力を備えていることを特徴とする。
【００１７】
従って、前記逆止片部は、背綴じレールの内周面を強く圧し（図２参照）て大きい摩擦力を得ることができ、より強い逆止機能を発揮する。
【００１８】
請求項５に係るレールホルダーにあっては、前記背綴じレールは、互いに向き合う第１・第２挟持片部を有し、前記第１・第２挟持片部は、前記オモテ表紙部およびウラ表紙部における背表紙部に近い個所を両方から押圧して挟持する押圧縁を有し、前記押圧縁は、その内側辺に沿って、前記逆止片部の先端縁が係止する係合縁を有していることを特徴とする。
【００１９】
従って、前記背綴じレールは、長手方向に伸びる樹脂製の長尺押し出し材を所定の長さに切断することによって得た短尺材を採用して容易に実施することができる。また、前記逆止片部の先端縁が係止する係合縁は、前記第１・第２挟持片部の先端個所をＬ状に曲げる（図２、図３及び図４参照）、或は当該Ｌ状に曲げ部の内側面を凹状にする（図７参照）ことによって容易に得ることが可能である。しかも、このようにして得た凹状係合縁は、これに係合した逆止片部の先端縁の係合状態を、当該逆止片部自身の斜立状態に戻る力と相俟って確実に維持することができる。
【００２０】
請求項６に係るレールホルダーにあっては、前記逆止片部の先端縁に折り曲げ自在部を介して補量片を備えていることを特徴とする。
【００２１】
したがって、前記補量片は、挟み綴じられる紙葉が例えば１枚といったような少なさである場合には、前記背綴じレールにおける押圧縁と表紙部との間に挟んで増量し、よって強く挟み止めるために用いることができ、また挟み綴じられる紙葉が多く増量の必要がない場合には、折り畳んで背綴じレール内に邪魔にならないように格納しておくことができる。
【発明の効果】
【００２２】
請求項１に係るレールホルダーは、背表紙部の両側にオモテ表紙部及びウラ表紙部を有する表紙体と、当該表紙体内に紙葉を綴じ止めるための背綴じレールにより構成されたレールホルダーに関し、前記オモテ表紙部の縁から若くは前記ウラ表紙部の縁から延長された逆止片部を有するので、前記背表紙部及び前記逆止片部が設けられたことによって、前記第３の問題点は完全若くは充分に解決することができる。
【００２３】
請求項２に係るレールホルダーは、前記背表紙部が、オモテ表紙部として機能する合成樹脂シートとウラ表紙部として機能する合成樹脂シートの基端側辺縁部を重ね合わせた状態で溶着することにより形成され、前記逆止片部が前記重ね合わせにおいて外側にされた合成樹脂シートの縁から延設されているので、抜け外れが起しにくい背綴じレールを備えた新規のレールホルダーを確実且つ容易に提供できる。しかも、強い逆止機能を発揮する逆止片部を有する表紙体が低コストで簡単に実施できる。さらに、オモテ表紙部とウラ表紙部とが別々の部材によって形成されているので、オモテ表紙部とウラ表紙部とが異なる色にされた完成品若しくは異なる素材にされた完成品、オモテ・ウラ表紙部の一方が透明合成樹脂シート製にされた完成品を提供できる。
【００２４】
請求項３に係るレールホルダーは、前記合成樹脂シートが、熱可塑性合成樹脂製であることを特徴とするので、オモテ表紙部とウラ表紙部との相互止着が溶着法によりできるものであって、前記色が異なる完成品、材質が異なる完成品、オモテ・ウラ表紙部の一方が透明の完成品を容易且つ簡単に生産でき、量産に適する。
【００２５】
請求項４に係るレールホルダーは、前記逆止片部が、前記合成樹脂シートが享有する弾性により、外力を受けていないときには斜立状態に戻る力を備えているので、前記したように摩擦力を利用した、より強い逆止機能を得ることができる。
【００２６】
請求項５に係るレールホルダーは、前記背綴じレールが、互いに向き合う第１・第２挟持片部を有し、前記第１・第２挟持片部が、前記オモテ表紙部およびウラ表紙部における背表紙部に近い個所を両方から押圧して挟持する押圧縁を有し、前記押圧縁が、その内側辺に沿って、前記逆止片部の先端縁が係止する係合縁を有しているので、前記背綴じレールは長手方向に伸びる樹脂製の長尺押し出し材を前以て製造しておいてこれを所定の長さに切断する方法を採用することができる。また、前記逆止片部の先端縁が係止する係合縁は、前記第１・第２挟持片部の先端個所をＬ状に曲げる、或は当該Ｌ状に曲げ部の内側面を凹状にすることによって容易に得ることができる。しかも、このようにして得た凹状係合縁は、これに係合した逆止片部の先端縁の係合状態を、当該逆止片部自身の斜立状態に戻る力と相俟って確実に維持することができる。
【００２７】
請求項６に係るレールホルダーは、前記逆止片部の先端縁に折り曲げ自在部を介して補量片を備えているので、挟み綴じられる紙葉が例えば１枚といったような少なさである場合には有利である。
【発明を実施するための最良の形態】
【００２８】
図１〜図６は本発明の第１実施の形態を示す。この第１実施の形態に係るレールホルダー１は、図に示すように、オモテ表紙部２、背表紙部３及びウラ表紙部４からなる表紙体５と、当該表紙体５内に１枚ないし複数枚の紙葉６を綴じ止めるための背綴じレール７とで構成されている。
【００２９】
前記表紙体５は、オモテ表紙部２として機能する透明の熱可塑性合成樹脂シート８とウラ表紙部４として機能する透明の合成樹脂シート９とを連結することで構成されている。前記合成樹脂シート８、９は熱可塑性合成樹脂製である。前記連結個所部１０は、前記両合成樹脂シート８、９の基端側辺縁部１１、１２を重ね合わせた状態で溶着することによって相互に止着されて背表紙部３を形成している。さらに、この背表紙部３は、完成後には抜け外れ阻止機能を果たす逆止片部１３を有する。
【００３０】
前記逆止片部１３は、前記両合成樹脂シート８、９の基端側辺縁部１１、１２において外側に存在する方の縁を延長して狭幅延長部１４を設けると共に当該狭幅延長部１４に内側方向への倒れ癖を賦与することによって設けられている。この逆止片部１３は、前記合成樹脂シートが享有する弾性により、外力を受けていないときには斜立状態に戻る力を有する。しかしながら、本発明にあっては、前記斜立状態を呈すること、戻る力を有することが、必須の条件ではなく、逆止片部１３が完全に倒れた状態でも、戻る力を有していない状態でも実施できる。
【００３１】
また、前記背綴じレール７は、特に限定されるものではないが本第１実施の形態に係るレールホルダー１では、長手方向に伸びる樹脂の押し出し材を所定の長さに切断することにより得た短尺材１６を採用している。この短尺材１６は、互いに向き合う第１・第２挟持片部１７、１８とこれら第１・第２挟持片部１７、１８の一方縁を連設状態にさせる連続部１９とを備え、前記第１・第２挟持片部１７、１８の他方縁は、前記オモテ表紙部２およびウラ表紙部４における背表紙部３に近い個所２２、２３を両方から押圧して挟持する押圧縁２４、２５を有する。この押圧縁２４、２５は、その内側辺に沿って、前記逆止片部１３の先端縁２６が係止する係合縁２７を有する。
【００３２】
次いで、前記第１実施の形態に係るレールホルダー１の使用方法について説明する。
【００３３】
先ず、図５に示すように、前記オモテ表紙部２とウラ表紙部４の間に多数枚の紙葉６を挟んで前記表紙体５内に収容し、その後に前記表紙体５における背表紙部３の長手方向下端を前記背綴じレール７の長手方向上端の上方側になるように位置させる。具体的には、背綴じレール７の第１・第２挟持片部１７、１８の上端部間の上方に背表紙部３の下端部を位置させると共に前記背綴じレール７における第１・第２挟持片部１７、１８の押圧縁２４、２５の上端間の上方に前記表紙体５のオモテ表紙部２およびウラ表紙部４における背表紙部３に近い個所２２、２３の下端を位置させる。このようにされた位置関係において前記表紙体５を下方にスライドさせ、このスライド操作によって前記背表紙部３を背綴じレール７内に入り込ませると共に当該表紙体５の背表紙部３に近い個所２２、２３を第１・第２挟持片部１７、１８の押圧縁２４、２５の上端間に入り込ませる。前記スライド操作に従って逆止片部１３は、前記背表紙部３と一緒に移動して背綴じレール７内に入れられる。また、前記オモテ表紙部２とウラ表紙部４間に挟まれた多数枚の紙葉６は、当該オモテ表紙部２及びウラ表紙部４と一緒に第１・第２挟持片部１７、１８の押圧縁２４、２５間に挟まれる。このようにすることにより製本ができる。
【００３４】
前記第１実施の形態に係るレールホルダー１を利用して得た製本物は、表紙体５の自由端と反対の方向に背綴じレール７を引っ張っても、逆止片部が機能して、当該背綴じレール７が脱落してしまうことがない。
【００３５】
なお、前記製本状態において、紙葉６を加除整理する必要が生じたときには、前記背綴じレール７を長手方向にスライドさせて外せばよく、当該加除整理は容易にできる。
【００３６】
また、前記の第１実施の形態に係るレールホルダー１は、表紙体５を下方にスライドさせて前記背表紙部３を背綴じレール７内に入り込ませる前記のスライド操作を容易にするために、逆止片部１３の両端には斜めカットガイド２８が設けられている。
【００３７】
図７は、第２実施の形態に係るレールホルダー３１を示すものである。この第２実施の形態に係るレールホルダー３１は、前記係合縁２７に、同縁に沿う突条引掛り部３２が設けられたものである。
【００３８】
また、図８は、第３実施の形態に係るレールホルダー３３を示すものである。この第３実施の形態に係るレールホルダー３３は、表紙体５を下方にスライドさせて前記背表紙部３を背綴じレール７内に入り込ませる前記のスライド操作を容易にするために、前記背綴じレール７の両端と逆止片部１３の両端に斜めカットガイド３４、３５を設けたものである。
【００３９】
また、図９は、第４実施の形態に係るレールホルダー３６を示すものである。この第４実施の形態に係るレールホルダー３６は、挟止片部１３の先端縁に折り曲げ自在部３７を介して補量片３８を設けたものである。この補量片３８は、図９に示すように、挟み綴じられる紙葉６が例えば１枚といったような少なさである場合には、前記押圧縁２４と近い個所２２との間に挟んで増量し、よって強く挟み止めるために用いることができる。なお、同補量片３８は、図９において仮想線３９によりに示すように、当該挟み綴じられる紙葉６が多く増量の必要がない場合には、折り畳んで背綴じレール７内に格納しておくことができて邪魔にはならない。
【００４０】
前記第２、第３及び第３実施の形態に係るレールホルダー３１、３３、３６の詳細説明は、同一の部位に同じ符号を付して省略する。
【図面の簡単な説明】
【００４１】
【図１】第１実施の形態を示す斜視図である。
【図２】図１Ａ−Ａ線に沿う断面図である。
【図３】背綴じレールに外力が加わった状態を示す断面図である。
【図４】同じく紙葉が多く綴じられた状態を示す断面図である。
【図５】背綴じレールを外した状態で示す斜視図である。
【図６】図５Ｂ−Ｂ線に沿う断面図である。
【図７】第２実施の形態を示す断面図である。
【図８】第３実施の形態を示す正面図である。
【図９】第３実施の形態を示す正面図である。
【図１０】第１従来例を示す断面図である。
【図１１】同じく紙葉が多く綴じられた状態を示す断面図である。
【図１２】第２従来例を示す断面図である。
【図１３】同じく紙葉が多く綴じられた状態を示す断面図である。
【符号の説明】
【００４２】
１  レールホルダー
２  オモテ表紙部
３  背表紙部
４  ウラ表紙部
５  表紙体
６  紙葉
７  背綴じレール
８  合成樹脂シート
９  合成樹脂シート
１０  連結個所部
１１  基端側辺縁部
１２  基端側辺縁部
１３  逆止片部
１４  狭幅延長部
１６  短尺材
１７  第１挟持片部
１８  第２挟持片部
１９  連続部
２２  近い個所
２３  近い個所
２４  押圧縁
２５  押圧縁
２６  先端縁
２７  係合縁
２８  斜めカットガイド
３１  第２実施の形態に係るレールホルダー
３２  突条引掛り部
３３  第３実施の形態に係るレールホルダー
３４  斜めカットガイド
３５  斜めカットガイド
３６  第４実施の形態に係るレールホルダー
３７  折り曲げ自在部
３８  補量片
３９  仮想線
４０  第１従来例に係るレールホルダー
４１  Ｖの字形状の折曲部
４２  二つ折りにされた表紙
４３  紙葉
４４  背綴じレール
４５  両側面部
４６  両側面部
４７  挟み口
４８  挟み片部
４９  挟み片部
５０  第２従来例に係るレールホルダー
５１  コの字形状の折曲部
５２  背面部
【図１】
2005153433.tif 000003
【図２】
2005153433.tif 000004
【図３】
2005153433.tif 000005
【図４】
2005153433.tif 000006
【図５】
2005153433.tif 000007
【図６】
2005153433.tif 000008
【図７】
2005153433.tif 000009
【図８】
2005153433.tif 000010
【図９】
2005153433.tif 000011
【図１０】
2005153433.tif 000012
【図１１】
2005153433.tif 000013
【図１２】
2005153433.tif 000014
【図１３】
2005153433.tif 000015